(57)【特許請求の範囲】
【請求項１】
メッセージ再送方法であって、
受信側が再送待ちメッセージに応じて第１のステータスレポートを構成し、前記第１のステータスレポートにおいて使用可能な帯域幅にカットオフされたカットオフＮＡＣＫのメッセージ番号を読み取り、前記受信側の受信ウィンドウのエッジ番号と前記カットオフＮＡＣＫのメッセージ番号との差分値を計算し、前記差分値と所定閾値を比較し、第１のステータスレポートにおけるカットオフ位置の前の部分を第２のステータスレポートとするステップと、
比較結果と前記第２のステータスレポートに応じて、第３のステータスレポートを構成するステップと、
前記受信側が前記第３のステータスレポートを送信するステップと、
前記送信側が、受信した前記第３のステータスレポートに応じてメッセージを再送するステップとを含むことを特徴とする前記メッセージ再送方法。
【請求項２】
比較結果と前記第２のステータスレポートに応じて、第３のステータスレポートを構成するステップは具体的に、
前記差分値が前記所定閾値より小さい場合に、前記第２のステータスレポートにおける前記カットオフＮＡＣＫを捨て、前記第３のステータスレポートを取得するステップを含むことを特徴とする
請求項１に記載のメッセージ再送方法。
【請求項３】
比較結果と前記第２のステータスレポートに応じて、第３のステータスレポートを構成するステップは具体的に、
前記差分値が前記所定閾値より大きく、且つ、前記カットオフＮＡＣＫのメッセージ番号が前記第２のステータスレポートにおける前の１つのＮＡＣＫのメッセージ番号に等しい場合に、前記第２のステータスレポートにおける前記カットオフＮＡＣＫを捨て、且つ前記前の１つのＮＡＣＫの再送分割セクションの終了位置を０ｘ７ＦＦＦに設定し、前記第３のステータスレポートを取得するステップを含むことを特徴とする
請求項２に記載のメッセージ再送方法。
【請求項４】
比較結果と前記第２のステータスレポートに応じて、第３のステータスレポートを構成するステップは具体的に、
前記差分値が前記所定閾値より大きく、且つ、前記カットオフＮＡＣＫのメッセージ番号が前記第２のステータスレポートにおける前の１つのＮＡＣＫのメッセージ番号に等しくない場合に、前記カットオフ位置に応じて、前記第３のステータスレポートを構成するステップを含むことを特徴とする
請求項３に記載のメッセージ再送方法。
【請求項５】
比較結果と前記第２のステータスレポートに応じて、第３のステータスレポートを構成するステップは具体的に、
前記差分値が前記所定閾値より大きく、且つ、前記カットオフＮＡＣＫが前記第２のステータスレポートにおける１番目のＮＡＣＫである場合に、前記カットオフ位置に応じて、前記第３のステータスレポートを構成するステップを含むことを特徴とする
請求項３に記載のメッセージ再送方法。
【請求項６】
前記カットオフ位置に応じて、前記第３のステータスレポートを構成するステップは具体的に、
前記カットオフ位置が前記カットオフＮＡＣＫのＳＯドメイン内にある場合、前記第２のステータスレポートにおける前記ＳＯドメインを捨て、前記第３のステータスレポートを取得するステップを含むことを特徴とする
請求項４又は請求項５に記載のメッセージ再送方法。
【請求項７】
前記カットオフ位置に応じて、前記第３のステータスレポートを構成するステップは具体的に、
前記カットオフ位置が前記カットオフＮＡＣＫのＳＯドメイン外にある場合、前記第２のステータスレポートにおける前記カットオフＮＡＣＫを捨て、前記第３のステータスレポートを取得するステップを含むことを特徴とする
請求項４又は請求項５に記載のメッセージ再送方法。
【請求項８】
メッセージ再送装置であって、
閾値比較モジュールであって、再送待ちメッセージに応じて、第１のステータスレポートを構成し、前記第１のステータスレポートにおける使用可能な帯域幅にカットオフされたカットオフＮＡＣＫのメッセージ番号を読み取り、受信側の受信ウィンドウのエッジ番号と前記カットオフＮＡＣＫのメッセージ番号との差分値を計算し、前記差分値と所定閾値を比較し、前記第１のステータスレポートにおけるカットオフ位置の前の部分を第２のステータスレポートとする、閾値比較モジュールと、
ステータスレポート構成モジュールであって、比較結果と前記第２のステータスレポートに応じて、第３のステータスレポートを構成するステータスレポート構成モジュールと、
ステータスレポート送信モジュールであって、前記第３のステータスレポートを送信するステータスレポート送信モジュールと、
再送モジュールであって、前記受信した第３のステータスレポートに応じて、メッセージを再送する再送モジュールと、を含むことを特徴とする前記メッセージ再送装置。
【請求項９】
前記ステータスレポート構成モジュールは具体的に、
判断ユニット、前記比較結果、及び前記カットオフ位置、前記カットオフＮＡＣＫ、前記第１のステータスレポートの位置関係に応じて、前記再送待ちメッセージのステータスを判断すると、
調整ユニット、前記再送待ちメッセージの状態に応じて、第２のステータスレポートを調整して第３のステータスレポートを取得するとを含むことを特徴とする
請求項８に記載のメッセージ再送装置。
【請求項１０】
メッセージ受信モジュール、送信側からのメッセージを受信すると、
メッセージ伝達モジュール、前記メッセージを伝達すると、
ステータスレポートトリガーモジュール、前記メッセージに応じて、第１のステータスレポートをトリガーするとをさらに含むことを特徴とする
請求項８又は請求項９に記載のメッセージ再送装置。
【発明の詳細な説明】
【技術分野】
【０００１】
本発明は、モバイル通信分野に関し、具体的には、メッセージ再送方法及び装置に関する。
【背景技術】
【０００２】
無線リンク制御（Ｒａｄｉｏ  Ｌｉｎｋ  Ｃｏｎｔｒｏｌ：ＲＬＣ）プロトコル層は、ロングタームエボリューション（Ｌｏｎｇ  Ｔｅｒｍ  Ｅｖｏｌｕｔｉｏｎ：ＬＴＥ）の無線インタフェースプロトコルスタックにおいて、第２層（Ｌ２）の１つの副層であり、媒体アクセス制御（Ｍｅｄｉａ  Ａｃｃｅｓｓ  Ｃｏｎｔｒｏｌ：ＭＡＣ）層とパケットデータ収束プロトコル（Ｐａｃｋｅｔ  Ｄａｔａ  Ｃｏｎｖｅｒｇｅｎｃｅ  Ｐｒｏｔｏｃｏｌ：ＰＤＣＰ）層との間に位置する。ＲＬＣプロトコル層の機能は、リンク制御、分割、再構成、カスケード接続、ユーザーデータの伝送、誤り訂正、プロトコルエラー検出及び回復などを含み、ユーザーと制御データとのために、分割サービスと再送サービスを提供する。
【０００３】
各ＲＬＣプロトコルエンティティは、無線リソース制御（Ｒａｄｉｏ  Ｒｅｓｏｕｒｃｅ  Ｃｏｎｔｒｏｌ：ＲＲＣ）層によって配置され、透過型モード（Ｔｒａｎｓｐａｒｅｎｔ  Ｍｏｄｅ：ＴＭ）と、非確認型モード（Ｕｎａｃｋｎｏｗｌｅｄｇｅｄ  Ｍｏｄｅ：ＵＭ）と、確認型モード（Ａｃｋｎｏｗｌｅｄｇｅｄ  Ｍｏｄｅ：ＡＭ）という３つのデータ伝送モードを含む。
【０００４】
確認型モードにおける自動再送要求（Ａｕｔｏｍａｔｉｃ  Ｒｅｐｅａｔ  Ｒｅｑｕｅｓｔ：ＡＲＱ）は、まず、受信側から送信側へステータスレポート（Ｓｔａｔｕｓ  Ｒｅｐｏｒｔ）を送信し、それから、送信側が、ステータスレポートにおけるＡＣＫ＿ＳＮとＮＡＣＫ＿ＳＮに応じて、どれらのプロトコルデータユニット（Ｐｒｏｔｏｃｏｌ  Ｄａｔａ  Ｕｎｉｔ：ＰＤＵ）メッセージが受信側に確実に受信されたか、どれらのＰＤＵ又はＰＤＵ断片が受信されていないかを判定して、且つ受信側に受信されていないＰＤＵメッセージを再送して、データ伝送の信頼性を保証できる。
【０００５】
３６．３２２プロトコルによって、ステータスレポートのトリガーは、ＲＣＬ送信側がポーリング方式でトリガー（ポーリングタイマーがタイムアウト）することと、ＲＣＬ受信側がＰＤＵ受信失敗と検出（転位（rearrangement）タイマーがタイムアウト）したことという２つの方式がある。３６．３２２プロトコルにおいて、確認型モードでステータスレポートをパッケージする過程としては、受信ウィンドウの転位検出セクションにおける完全に受信されていないＰＤＵに対して、ステータスレポートのサイズは下位層が指示した使用可能な帯域幅の大きさを満足するまで、ＰＤＵの番号（即ち、完全に受信されていないメッセージ番号）の昇順によって、ステータスレポートを構成する。
【０００６】
図１と図２はそれぞれ、関連技術においてデータ伝送ウィンドウが移動状態にあることと、データ伝送ウィンドウが停滞状態にあることとを示す図である。ここで、送信ウィンドウと受信ウィンドウのウィンドウサイズがいずれもＷｉｎｄｏｗ＿Ｓｉｚｅ＝５１２であり、ウィンドウ要素がシャドウになるのは当該ＰＤＵが全部受信されたことを表し、半分のウィンドウ要素がシャドウになるのは一部のＰＤＵのみが受信されて、１つまたは複数のＰＤＵ断片がまだ受信されていないことを表す。
【０００７】
図１は、関連技術においてデータ伝送ウィンドウが移動状態にあることを示す図である。ここで、送信ウィンドウが受信していないＰＤＵの最小番号は、ｉ＞０、即ち、ＶＲ（Ｒ）＝ｉ＞０であるが、ＶＲ（Ｈ）＝５１２であるため、ＶＲ（Ｈ）−ＶＲ（Ｒ）＜５１２＝Ｗｉｎｄｏｗｓ＿Ｓｉｚｅとなり、当該受信ウィンドウが完全にパディングされなくて、移動状態にあることを表す。この場合、送信ウィンドウも移動状態にあり、ＶＴ（Ｓ）は後に移動して新しいメッセージデータを送信することができる。
【０００８】
しかしながら、無線インタフェースデータの伝送過程において、ウィンドウが停滞する可能性もある。図２は、関連技術においてデータ伝送ウィンドウが停滞状態にあることを示す図である。ここで、送信ウィンドウが受信していないＰＤＵの最小番号が０、即ち、ＶＲ（Ｒ）＝０であるが、ＶＲ（Ｈ）＝５１２であるため、ＶＲ（Ｈ）−ＶＲ（Ｒ）＝５１２＝Ｗｉｎｄｏｗｓ＿Ｓｉｚｅとなり、当該受信ウィンドウが完全にパディングされて、停滞状態にあることを表す。受信ウィンドウが停滞状態にある場合に、送信ウィンドウも必ず停滞して（Ｗｉｎｄｏｗ＿Ｓｉｚｅ＝ＶＴ（Ｓ）−ＶＴ（Ａ）、その際、ＶＴ（Ｓ）≧ＶＲ（Ｈ）、且つ、ＶＴ（Ａ）≦ＶＲ（Ｒ）のため）、ＶＴ（Ｓ）が後に移動して新しいメッセージデータを送信することができない。番号が０であるＰＤＵが送信側から再送されて受信側に確実に受信されることになるまで、停滞状態が終了しない。そのため、ウィンドウが停滞状態にある場合に、データ伝送が中断されて、無線インタフェースデータの伝送速度にひどい影響を与えた。
【０００９】
図３は、関連技術においてステータスレポートを示す図である。図３に示すように、ステータスレポートにおいて、１行毎に８ビット（ｂｉｔ）は１バイト（ｂｙｔｅ）を表し、各ステータスレポートは、少なくとも、１つのＡＣＫ＿ＳＮと、複数のＮＡＣＫと、複数のＥ１及びＥ２とを含む。ＡＣＫ＿ＳＮ（１０ｂｉｔ）は、ステータスレポート検出セクションの締切り番号の位置を表し、即ち、ステータスレポートが受信側に報告するのはＡＣＫ＿ＳＮより前の番号のメッセージの受信状況であることを表す。ＮＡＣＫは、ＮＡＣＫ＿ＳＮとＳＯドメイン（選択可能）からなり、ここで、ＮＡＣＫ＿ＳＮ（１０ｂｉｔ）が、メッセージ番号がＳＮであるＰＤＵ又はＰＤＵ断片が受信されていないことを表し、受信されていないのがＰＤＵ断片である場合に、当該ＮＡＣＫには、受信されていないＰＤＵ断片がＰＤＵにおいて開始位置と終了位置に位置することを指摘するために、ＳＯｓｔａｒｔ（１５ｂｉｔ）とＳＯｅｎｄ（１５ｂｉｔ）とを含むＳＯドメインをさらに含む。ここで、Ｅ１は、当該ＡＣＫ＿ＳＮ／ＮＡＣＫの後に更にＮＡＣＫがあるかどうかを識別することに用いられ、Ｅ２は、当該ＮＡＣＫ＿ＳＮの後にＳＯドメインがあるかどうかを識別する。
【００１０】
スケジューリング帯域幅は、使用可能な帯域幅とも称し、ＲＬＣバッファにおいて送信必要があるメッセージデータが存在する場合に、先にＭＡＣにバッファステータスレポート（Ｂｕｆｆｅｒ  Ｓｔａｔｕｓ  Ｒｅｐｏｒｔｓ：ＢＳＲと略称する）を送信し、ＭＡＣが送信待ちメッセージデータのサイズに応じて、ＲＬＣに使用可能なスケジューリング帯域幅を割り当てる。使用可能なスケジューリング帯域幅は、一般に、送信待ちメッセージデータのサイズに等しくない。ＲＬＣのパッケージング規則として、使用可能な帯域幅のサイズに応じてメッセージデータをできるだけ多く送信することである。ＲＬＣがＰＤＵを再送する時に、スケジューリング帯域幅が送信待ちデータのサイズより大きい場合、スケジューリング帯域幅に適応するために、ＭＡＣ層は、ＭＡＣ  ＰＤＵの後にＰａｄｄｉｎｇを加える必要があり、スケジューリング帯域幅が送信待ちメッセージデータのサイズより小さい場合、再送されたＰＤＵをセグメント化（細分化）する必要がある。無線インタフェースの状況がよい場合に、ステータスレポートが一般に十分にスケジューリングされることができ、即ち、受信側の転位検出セクションに対応するＮＡＣＫが全て送信側に送信されることができるが、無線インタフェース状況がよくない場合に、帯域幅の大きさに応じて、ステータスレポートをできるだけ送信する。
【００１１】
ある場合に、ＲＬＣエンティティの受信側は、あるＰＤＵ断片に対して、再送要求があり、この際、使用可能な帯域幅の不足のため、受信側が送信側に送信したステータスレポートには、メッセージ番号がＶＲ（Ｒ）であるＮＡＣＫが含まないと、転位タイマー又はポーリングタイマーが再びタイムアウトになって、新しいステータスレポートをトリガーすることになるまで、メッセージ番号がＶＲ（Ｒ）であるＮＡＣＫを当該新しいステータスレポートに構成してＶＲ（Ｒ）に対応するＰＤＵ断片の再送を送信側にリクエストできない。
【００１２】
関連技術において、受信側でステータスレポートを構成する場合に、使用可能な帯域幅によってカットオフされたＮＡＣＫを捨てて送信せず、カットオフされたＮＡＣＫの前のＮＡＣＫのみを送信待ちステータスレポートに構成するメッセージ再送方法が開示されている。図３に示すように、ＲＬＣの使用可能な帯域幅は、１３バイトしかなく、転位検出セクションに対応するステータスレポートの長さよりはるかに小さく、３番目のＮＡＣＫのＳＯｅｎｄドメインがちょうど使用可能な帯域幅にカットオフされ、全部に送信されることができない。この際、当該メッセージ再送方法によって、前の２つのＮＡＣＫを含むステータスレポートのみを送信し、使用可能な帯域幅にカットオフされた３番目のＮＡＣＫを捨て、即ち、９バイトのステータスレポートだけを送信する。
【００１３】
発明者は、関連技術におけるメッセージ再送方法で、どんなデータ伝送ウィンドウ状態にあっても、使用可能な帯域幅にカットオフされたＮＡＣＫを捨てて送信しないことで、ウィンドウが完全にパディングされて停滞状態になる場合に、少なくとも１つの転位タイマー周期又はポーリングタイマー周期を待たさないと、ウィンドウの停滞状態を解除できないことをもたらし、無線インタフェースデータの伝送遅延及び伝送速度低下が引き起こされることを発見した。
【発明の概要】
【発明が解決しようとする課題】
【００１４】
本発明は、関連技術におけるメッセージ再送方法で、どんなデータ伝送ウィンドウ状態にあっても、使用可能な帯域幅にカットオフされたＮＡＣＫを捨てて送信しないことで、ウィンドウが完全にパディングされて停滞状態になる場合に、無線インタフェースデータの伝送遅延及び伝送速度低下が引き起こされるという問題を有効的に避けられるメッセージ再送方法を提供することを目的とする。
【課題を解決するための手段】
【００１５】
本発明の実施例において、受信側は、再送待ちメッセージに応じて第１のステータスレポートを構成し、第１のステータスレポートにおいて使用可能な帯域幅にカットオフされたカットオフＮＡＣＫのメッセージ番号を読み取り、受信側の受信ウィンドウのエッジ番号とカットオフＮＡＣＫのメッセージ番号との差分値を計算し、当該差分値と所定閾値を比較し、第１のステータスレポートにおけるカットオフ位置の前の部分を第２のステータスレポートとするステップと、比較結果と第２のステータスレポートに応じて、第３のステータスレポートを構成するステップと、受信側は第３のステータスレポートを送信するステップと、送信側は、受信した第３のステータスレポートに応じて、メッセージを再送するステップとを含むメッセージ再送方法が提供される。
【００１６】
さらに、上記メッセージ再送方法において、比較結果と第２のステータスレポートに応じて、第３のステータスレポートを構成するステップは具体的に、差分値が所定閾値より小さい場合に、第２のステータスレポートにおけるカットオフＮＡＣＫを捨て、第３のステータスレポートを取得するステップを含む。
【００１７】
さらに、上記メッセージ再送方法において、比較結果と第２のステータスレポートに応じて、第３のステータスレポートを構成するステップは具体的に、差分値が所定閾値より大きく、且つ、カットオフＮＡＣＫのメッセージ番号が第２のステータスレポートにおける前の１つのＮＡＣＫのメッセージ番号に等しい場合に、第２のステータスレポートにおけるカットオフＮＡＣＫを捨て、前の１つのＮＡＣＫの再送分割セクションの終了位置を０ｘ７ＦＦＦに設定し、第３のステータスレポートを取得するステップを含む。
【００１８】
さらに、上記メッセージ再送方法において、比較結果と第２のステータスレポートに応じて、第３のステータスレポートを構成するステップは具体的に、差分値が所定閾値より大きく、且つ、カットオフＮＡＣＫのメッセージ番号が第２のステータスレポートにおける前の１つのＮＡＣＫのメッセージ番号に等しくない場合に、カットオフ位置に応じて、第３のステータスレポートを構成するステップを含む。
【００１９】
さらに、上記メッセージ再送方法において、比較結果と第２のステータスレポートに応じて、第３のステータスレポートを構成するステップは、具体的に、差分値が所定閾値より大きく、且つ、カットオフＮＡＣＫが第２のステータスレポートにおける１番目のＮＡＣＫである場合に、カットオフ位置に応じて、第３のステータスレポートを構成するステップを含む。
【００２０】
さらに、上記メッセージ再送方法において、カットオフ位置に応じて、第３のステータスレポートを構成するステップは具体的に、カットオフ位置がカットオフＮＡＣＫのＳＯドメイン内にある場合、第２のステータスレポートにおけるＳＯドメインを捨て、第３のステータスレポートを取得するステップを含む。
【００２１】
さらに、上記メッセージ再送方法において、カットオフ位置に応じて、第３のステータスレポートを構成するステップは具体的に、カットオフ位置がカットオフＮＡＣＫのＳＯドメイン外にある場合、第２のステータスレポートにおけるカットオフＮＡＣＫを捨て、第３のステータスレポートを取得するステップを含む。
【００２２】
一方で、本発明の実施例において、再送待ちメッセージに応じて第１のステータスレポートを構成し、第１のステータスレポートにおいて使用可能な帯域幅にカットオフされたカットオフＮＡＣＫのメッセージ番号を読み取り、受信側の受信ウィンドウのエッジ番号とカットオフＮＡＣＫのメッセージ番号との差分値を計算し、当該差分値と所定閾値を比較し、第１のステータスレポートにおけるカットオフ位置の前の部分を第２のステータスレポートとする閾値比較モジュールと、比較結果と第２のステータスレポートに応じて第３のステータスレポートを構成するステータスレポート構成モジュールと、第３のステータスレポートを送信するステータスレポート送信モジュールと、受信した第３のステータスレポートに応じてメッセージを再送する再送モジュールと、を含むメッセージ再送装置をさらに提供する。
【００２３】
さらに、上記メッセージ再送装置において、ステータスレポート構成モジュールは具体的に、比較結果、及びカットオフ位置、カットオフＮＡＣＫ、第１のステータスレポートの位置関係に応じて、再送待ちメッセージのステータスを判断する判断ユニットと、再送待ちメッセージの状態に応じて、第２のステータスレポートを調整して、第３のステータスレポートを取得する調整ユニットとを含む。
【００２４】
さらに、上記メッセージ再送装置には、送信側からのメッセージを受信するメッセージ受信モジュールと、メッセージを伝達するメッセージ伝達モジュールと、メッセージに応じて、第１のステータスレポートをトリガーするステータスレポートトリガーモジュールとをさらに含む。
【００２５】
上記実施例において、まず、受信側の受信ウィンドウのエッジ番号とカットオフＮＡＣＫのメッセージ番号との差分値を計算し、当該差分値と所定閾値を比較し、次に、当該比較結果に応じて、第２のステータスレポートを調整して、第３のステータスレポートを取得する。比較結果においてデータ伝送ウィンドウの状態情報を含むため、本実施例は、異なるデータ伝送ウィンドウ状態に対して、異なる構成方法を採用して、第３のステータスレポートを取得することができ、これによって、各種のデータ伝送ウィンドウ状態で、無線インタフェースデータをすべて直ちに伝送できることが実現され、無線インタフェースデータの伝送速度と効率を向上させ、関連技術におけるメッセージ再送方法で、どんなデータ伝送ウィンドウ状態にあっても、使用可能な帯域幅にカットオフされたＮＡＣＫを捨てて送信しないことで、ウィンドウが完全にパディングされて停滞状態になる場合に、無線インタフェースデータの伝送遅延及び伝送速度低下が引き起こされるという問題を有効的に避けられる。
【図面の簡単な説明】
【００２６】
【図１】関連技術においてデータ伝送ウィンドウが移動状態にあることを示す図である。
【図２】関連技術においてデータ伝送ウィンドウが停滞状態にあることを示す図である。
【図３】関連技術においてステータスレポートを示す図である。
【図４】本発明の実施例によってメッセージ再送方法のフローチャートである。
【図５】本発明の好ましい実施例によってメッセージ再送方法のフローチャートである。
【図６】図５に対応する１つのステータスレポートを示す図である。
【図７】図５に対応するもう１つのステータスレポートを示す図である。
【図８】本発明の実施例によってメッセージ再送装置を示す構造図である。
【図９】本発明の好ましい実施例によってメッセージ再送装置を示す構造図である。
【発明を実施するための形態】
【００２７】
ここで説明した図面は、本発明を更に説明する用であり、本願の一部を構成し、なお、示す実施例及びその説明は本発明を解釈する用であり、本発明を限定されるものではない。
【００２８】
以下、図面を参照しながら実施例に合わせて、本発明を詳しく説明する。
【００２９】
図４は、本発明の実施例によってメッセージ再送方法のフローチャートである。無線リンク制御層に適用できる当該メッセージ再送方法は、
再送待ちメッセージに応じて、第１のステータスレポートを構成し、第１のステータスレポートにおいて使用可能な帯域幅にカットオフされたカットオフＮＡＣＫのメッセージ番号ＮＡＣＫ＿ＳＮを読み取り、受信側の受信ウィンドウのエッジ番号ＶＲ（Ｈ）とカットオフＮＡＣＫのメッセージ番号ＮＡＣＫ＿ＳＮとの差分値Ｘを計算し、差分値Ｘと所定閾値ＸＴを比較し、第１のステータスレポートにおけるカットオフ位置の前の部分を第２のステータスレポートとするステップＳ１０と、
比較結果と第２のステータスレポートに応じて、第３のステータスレポートを構成するステップＳ２０と、
受信側が第３のステータスレポートを送信するステップＳ３０と、
送信側が、受信した第３のステータスレポートに応じて、メッセージを再送するステップＳ４０とを含む。
【００３０】
上記実施例のステップＳ１０において、まず、カットオフＮＡＣＫのメッセージ番号ＮＡＣＫ＿ＳＮと受信側の受信ウィンドウのエッジ番号ＶＲ（Ｈ）との差分値Ｘを計算し、受信ウィンドウのエッジ番号ＶＲ（Ｈ）が受信ウィンドウにおけるメッセージ番号の最大値であり、Ｘが当該ＮＡＣＫ＿ＳＮから受信ウィンドウのエッジ番号ＶＲ（Ｈ）までの距離で、即ち、Ｘ∈[０，Ｗｉｎｄｏｗ＿Ｓｉｚｅ]であり、差分値Ｘと所定閾値ＸＴを比較し、第１のステータスレポートにおけるカットオフ位置の前の部分を第２のステータスレポートとする。ＸＴがデータ伝送ウィンドウ状態の判断標準とするので、ＸとＸＴを比較すると、データ伝送ウィンドウの現在の状態を取得でき、Ｘ∈[０，ＸＴ）の場合に、受信ウィンドウの移動状態が良好であると認められ、Ｘ∈[ＸＴ，Ｗｉｎｄｏｗ＿Ｓｉｚｅ]の場合に、受信ウィンドウがまもなく完全にパディングされて停滞しようと認められる。ステップＳ２０において、上記比較結果に応じて、受信ウィンドウの状態をわかり、受信ウィンドウが異なる状態にある場合に、異なる構成方法で第３のステータスレポートを取得する。ステップＳ３０において、受信側が送信側に第３のステータスレポートを送信する。ステップＳ４０において、送信側が、受信側からの第３のステータスレポートに応じて、メッセージを再送する。本実施例は、各種のデータ伝送ウィンドウ状態で、無線インタフェースデータを全て直ちに伝送できることが実現され、無線インタフェースデータの伝送速度と効率を向上させ、関連技術におけるメッセージ再送方法でどんなデータ伝送ウィンドウ状態にあっても、使用可能な帯域幅にカットオフされたＮＡＣＫを捨てて送信しないことで、ウィンドウが完全にパディングされて停滞状態になる場合に、無線インタフェースデータの伝送遅延及び伝送速度低下が引き起こされるという問題を有効的に避けられる。
【００３１】
好ましくは、上記メッセージ再送方法において、ステップＳ２０は具体的に、差分値Ｘが所定閾値ＸＴより小さい場合に、第２のステータスレポートにおけるカットオフＮＡＣＫを捨て、第３のステータスレポートを取得するステップを含む。
【００３２】
本実施例において、所定閾値をＸＴ＝Ｗｉｎｄｏｗ＿Ｓｉｚｅ−Ｎに設定することでき、ただし、Ｎが整数で、Ｎ∈[０，Ｗｉｎｄｏｗ＿Ｓｉｚｅ／２）であり、差分値Ｘが所定閾値ＸＴより小さく、即ち、Ｘ∈[０，Ｗｉｎｄｏｗ＿Ｓｉｚｅ−Ｎ）の場合に、受信ウィンドウの移動状態が良好であると認められ、この際、無線インタフェースデータがスムーズに伝送され、カットオフＮＡＣＫに対応するＰＤＵ又はＰＤＵ断片の再送要求に対して、次回のステータスレポートで送信することができる。従って、第３のステータスレポートを構成する時に、第２のステータスレポートにおけるカットオフＮＡＣＫを捨てる。この際、受信ウィンドウの移動状態が良好であるので、第３のステータスレポートを構成する時に上記カットオフＮＡＣＫを保持する必要がなくて、無線インタフェース伝送リソースを節約した。
【００３３】
好ましくは、上記メッセージ再送方法において、ステップＳ２０は具体的に、差分値が所定閾値より大きく、且つ、カットオフＮＡＣＫのメッセージ番号が第２のステータスレポートにおける前の１つのＮＡＣＫのメッセージ番号に等しい場合に、第２のステータスレポートにおけるカットオフＮＡＣＫを捨て、且つ前の１つのＮＡＣＫの再送分割セクションの終了位置を０ｘ７ＦＦＦに設定し、第３のステータスレポートを取得するステップを含む。
【００３４】
本実施例において、ＸＴ＝Ｗｉｎｄｏｗ＿Ｓｉｚｅ−Ｎを設定し、差分値Ｘが所定閾値ＸＴより大きく、即ち、Ｘ∈[Ｗｉｎｄｏｗ＿Ｓｉｚｅ−Ｎ，Ｗｉｎｄｏｗ＿Ｓｉｚｅ]の場合に、受信ウィンドウがまもなく完全にパディングされて停滞しようと認められる。この際、カットオフＮＡＣＫのメッセージ番号が第２のステータスレポートにおける前の１つのＮＡＣＫのメッセージ番号に等しい場合、カットオフＮＡＣＫと前の１つのＮＡＣＫによって再送を要求するＰＤＵ断片とがいずれも同一のＰＤＵに属し、且つ、カットオフＮＡＣＫが要求するＰＤＵ断片は、前の１つのＮＡＣＫが要求する後続のＰＤＵ断片であることを表す。ただし、使用可能な帯域幅が有限のため、当該後続ＰＤＵ断片情報を完全に表示して送信側の再送を要求することができない。そのため、当該カットオフＰＤＵを捨て、且つ前の１つのＮＡＣＫに対応するＰＤＵ断片の終了位置を当該ＰＤＵの末尾位置に対応する０ｘ７ＦＦＦに修正し、即ち、前の１つのＮＡＣＫに、上記ＰＤＵにおける分割区間が［ＳＯｓｔａｒｔ，０ｘ７ＦＦＦ］、即ちＳＯｓｔａｒｔから末尾までのＰＤＵ断片を再送することが表された。本実施例は、使用可能な帯域幅が有限のため、カットオフＮＡＣＫに対応するＰＤＵ断片情報を完全に表すことができない場合に、当該カットオフＮＡＣＫのメッセージ番号と同じである前の１つのＮＡＣＫのリクエストチャンスを十分に利用して、今回のステータスレポートに、元のカットオフされたＮＡＣＫが要求したＰＤＵ断片の再送要求を表した。従って、メッセージ再送のプロセスを速くして、受信ウィンドウが完全にパディングされて停滞状態になる可能性を低下しさらに解除させ、無線インタフェースデータの伝送速度と効率を向上させた。
【００３５】
好ましくは、上記メッセージ再送方法において、ステップＳ２０は具体的に、差分値が所定閾値より大きく、且つ、カットオフＮＡＣＫのメッセージ番号が第２のステータスレポートにおける前の１つのＮＡＣＫのメッセージ番号に等しくない場合に、カットオフ位置に応じて、第３のステータスレポートを構成するステップを含む。
【００３６】
本実施例において、ＸＴ＝Ｗｉｎｄｏｗ＿Ｓｉｚｅ−Ｎを設定し、差分値Ｘが所定閾値ＸＴより大きく、即ち、Ｘ∈[Ｗｉｎｄｏｗ＿Ｓｉｚｅ−Ｎ，Ｗｉｎｄｏｗ＿Ｓｉｚｅ]の場合に、受信ウィンドウがまもなく完全にパディングされて停滞しようと認められる。この際、カットオフＮＡＣＫのメッセージ番号が第２の状態における前の１つのＮＡＣＫのメッセージ番号に等しくない場合、当該カットオフＮＡＣＫが再送を要求するメッセージは、ＰＤＵ又は、前の１つのＮＡＣＫが要求したＰＤＵ断片と異なるＰＤＵに属すＰＤＵ断片である可能性がある。従ってこの２つの状況が存在するので、本実施例は、カットオフＮＡＣＫのメッセージ番号が第２のステータスレポートにおける前の１つのＮＡＣＫのメッセージ番号に等しい場合のように、前の１つのＮＡＣＫのリクエストチャンスを利用して、要求を表すことができなく、さらに、カットオフ位置に応じて、第３のステータスレポートを構成する必要がある。そうすれば、受信ウィンドウがまもなく完全にパディングされて停滞状態しようとし、且つ、カットオフＮＡＣＫのメッセージ番号が第２のステータスレポートにおける前の１つのＮＡＣＫのメッセージ番号に等しくない場合に、カットオフ位置に応じて、再送要求を適当に表すこともできる。
【００３７】
好ましくは、上記メッセージ再送方法において、ステップＳ２０は具体的に、差分値が所定閾値より大きく、且つ、カットオフＮＡＣＫが第２のステータスレポートにおける１番目のＮＡＣＫである場合に、カットオフ位置に応じて第３のステータスレポートを構成するステップを含む。
【００３８】
本実施例において、ＸＴ＝Ｗｉｎｄｏｗ＿Ｓｉｚｅ−Ｎを設定し、差分値Ｘが所定閾値ＸＴより大きく、即ち、Ｘ∈[Ｗｉｎｄｏｗ＿Ｓｉｚｅ−Ｎ，Ｗｉｎｄｏｗ＿Ｓｉｚｅ]の場合に、受信ウィンドウがまもなく完全にパディングされて停滞しようと認められる。この際、カットオフＮＡＣＫが第２のステータスレポートにおける１番目のＮＡＣＫである場合、当該カットオフＮＡＣＫが再送を要求するメッセージは、ＰＤＵ又は、ＰＤＵ断片である可能性がある。第２のステータスレポートにおける１番目のＮＡＣＫであるので、カットオフＮＡＣＫのメッセージ番号が第２のステータスレポートにおける前の１つのＮＡＣＫのメッセージ番号に等しい場合のように、前の１つのＮＡＣＫのリクエストチャンスを利用して、要求を表すことができなく、さらに、カットオフ位置に応じて、第３のステータスレポートを構成する必要がある。そうすれば、受信ウィンドウがまもなく完全にパディングされて停滞状態しようとし、且つ、カットオフＮＡＣＫが第２のステータスレポートにおける１番目のＮＡＣＫである場合に、カットオフ位置に応じて、再送要求を適当に表すこともできる。
【００３９】
好ましくは、上記メッセージ再送方法において、カットオフ位置に応じて第３のステータスレポートを構成するステップは具体的に、カットオフ位置がカットオフＮＡＣＫのＳＯドメインにある場合、第２のステータスレポートにおけるＳＯドメインを捨て、第３のステータスレポートを取得するステップを含む。
【００４０】
本実施例は、差分値が所定閾値より大きく、且つ、カットオフＮＡＣＫが第２のステータスレポートにおける１番目のＮＡＣＫである状況であり、又は差分値が所定閾値より大きく、且つ、カットオフＮＡＣＫのメッセージ番号が第２のステータスレポートにおける前の１つのＮＡＣＫのメッセージ番号に等しくない状況に適用できる。このような２つの状況においては、いずれも、前の１つのＮＡＣＫのリクエストチャンスを利用して、要求を表すことができなく、さらに、カットオフ位置に応じて、第３のステータスレポートを構成する必要がある。
【００４１】
上記ステータスレポートのフォーマットによって分かり、ＰＤＵを要求する場合に、相応的なＮＡＣＫ部分がＮＡＣＫ＿ＳＮのみを含み、ＰＤＵ断片を要求する場合に、相応的なＮＡＣＫ部分がＮＡＣＫ＿ＳＮとＳＯドメイン（３０ｂｉｔ）とを含むため、ＰＤＵ断片を要求することは、ＰＤＵを要求することより、より長いステータスレポートを必要とする。
【００４２】
カットオフ位置がカットオフＮＡＣＫのＳＯドメイン内にある場合、カットオフＮＡＣＫが要求するものはＰＤＵ断片であると表す。ただし、使用可能な帯域幅が有限のため、完全なＳＯドメイン情報を含むステータスレポートを送信できない。しかし、ＳＯドメインの前にあるＮＡＣＫ＿ＳＮが依然に完全であるため、本実施例が、第３のステータスレポートを構成する場合に、当該ＳＯドメインを捨て、即ち、再送を要求するメッセージは当該ＰＤＵ断片を含むＰＤＵに修正され、元の再送要求のＰＤＵ断片も必ず含む。本実施例は、カットオフ位置がカットオフＮＡＣＫのＳＯドメインにある場合に、今回のステータスレポートに、元のカットオフＮＡＣＫに要求されたＰＤＵ断片の再送要求を表すことが実現され、メッセージ再送のプロセスを速くし、受信ウィンドウが完全にパディングされて停滞状態になる可能性を低下しさらに解除させ、無線インタフェースデータの伝送速度と効率を向上させた。
【００４３】
好ましくは、上記メッセージ再送方法において、カットオフ位置に応じて第３のステータスレポートを構成するステップが具体的に、カットオフ位置がＮＡＣＫのＳＯドメイン外にある場合、第２のステータスレポートにおけるカットオフＮＡＣＫを捨て、第３のステータスレポートを取得するステップを含む。
【００４４】
本実施例は、差分値が所定閾値より大きくて、且つ、カットオフＮＡＣＫが第２のステータスレポートにおける１番目のＮＡＣＫである状況であり、又は差分値が所定閾値より大きくて、且つ、カットオフＮＡＣＫのメッセージ番号が第２のステータスレポートにおける前の１つのＮＡＣＫのメッセージ番号に等しくない状況に適用できる。このような２つの状況においては、いずれも、前の１つのＮＡＣＫのリクエストチャンスを利用して、要求を表すことができなく、さらに、カットオフ位置に応じて、第３のステータスレポートを構成する必要がある。
【００４５】
カットオフ位置がカットオフＮＡＣＫのＳＯドメイン外にあり、即ち、カットオフＮＡＣＫのＮＡＣＫ＿ＳＮ又はＥ１、Ｅ２ドメインにある場合、今回のステータスレポートに、元のカットオフＮＡＣＫに要求されたＰＤＵやＰＤＵ断片を要求することができなく、本実施例は、第３のステータスレポートを構成する場合に、当該カットオフＮＡＣＫを捨て、即ち、カットオフＮＡＣＫに対応するＰＤＵ又はＰＤＵ断片の再送要求に対して、次回のステータスレポートで送信できて、無線インタフェース伝送リソースを節約した。
【００４６】
図５は本発明の好ましい実施例によってメッセージ再送方法のフローチャートである。当該方法は、以下のステップを含む。
【００４７】
ステップＳ５０１、再送待ちメッセージに応じて第１のステータスレポートを構成し、その中に使用可能な帯域幅にカットオフされたカットオフＮＡＣＫのメッセージ番号を読み取り、受信側の受信ウィンドウのエッジ番号とカットオフＮＡＣＫのメッセージ番号との差分値を計算し、差分値と所定閾値を比較し、第１ステータスレポートにおけるカットオフ位置の前の部分を第２のステータスレポートとするステップであり、
ステップＳ５０２、上記差分値が所定閾値より大きいかどうかを判断するステップであり、
ステップＳ５０３、差分値が所定閾値より小さい場合に、第２のステータスレポートにおけるカットオフＮＡＣＫを捨て、第３のステータスレポートを取得し、ステップＳ５１０に移すステップであり、
ステップＳ５０４、差分値が所定閾値より大きい場合に、カットオフＮＡＣＫが１番目のＮＡＣＫであるかどうかを判断し、カットオフＮＡＣＫが１番目のＮＡＣＫである場合、ステップＳ５０７に移すステップであり、
ステップＳ５０５、カットオフＮＡＣＫが１番目のＮＡＣＫでない場合、カットオフＮＡＣＫのメッセージ番号が前の１つのＮＡＣＫのメッセージ番号に等しいかどうかをさらに判断し、カットオフＮＡＣＫのメッセージ番号が第２のステータスレポートにおける前の１つのＮＡＣＫのメッセージ番号に等しくない場合に、ステップＳ５０７に移すステップであり、
ステップＳ５０６、カットオフＮＡＣＫのメッセージ番号が第２のステータスレポートにおける前の１つのＮＡＣＫのメッセージ番号に等しい場合に、第２のステータスレポートにおけるカットオフＮＡＣＫを捨て、且つ前の１つのＮＡＣＫの再送分割セクションの終了位置を０ｘ７ＦＦＦに設定し、第３のステータスレポートを取得し、ステップＳ５１０に移すステップであり、
ステップＳ５０７、カットオフ位置がカットオフＮＡＣＫのＳＯドメインにあるかどうかを判断するステップであり、
ステップＳ５０８、カットオフ位置がカットオフＮＡＣＫのＳＯドメイン内にある場合、第２のステータスレポートにおけるＳＯドメインを捨て、第３のステータスレポートを取得し、ステップＳ５１０に移すステップであり、
ステップＳ５０９、カットオフ位置がカットオフＮＡＣＫのＳＯドメイン外にある場合、第２のステータスレポートにおけるカットオフＮＡＣＫを捨て、第３のステータスレポートを取得するステップであり、
ステップＳ５１０、受信側が第３のステータスレポートを送信するステップであり、
ステップＳ５１１、送信側が、受信した第３のステータスレポートに応じて、メッセージを再送するステップである。
【００４８】
図６は図５に対応する１つのステータスレポートを示す図である。図１に示すように、当該実施例において、メッセージを再送する前に、受信ウィンドウは停滞状態にある。図６に示すように、使用可能な帯域幅は６バイトしかなく、カットオフＮＡＣＫは１番目のＮＡＣＫであり、且つ、カットオフ位置は当該カットオフＮＡＣＫのＳＯドメインにある。そのため、図5に示すように、当該実施例に対応するメッセージ再送方法のステップは順次に、Ｓ５０１→Ｓ５０２→Ｓ５０４→Ｓ５０７→Ｓ５０８→Ｓ５１０→Ｓ５１１である。当該メッセージ再送方法は、受信ウィンドウの停滞状態の解除を速くし、停滞状態を図３に示すような移動状態に回復させる。
【００４９】
図７は図５に対応するもう１つのステータスレポートを示す図である。図１に示すように、当該実施例において、メッセージを再送する前に、受信ウィンドウは停滞状態にある。図６に示すように、使用可能な帯域幅は１１バイトしかなく、カットオフＮＡＣＫは２つ目のＮＡＣＫであり、且つ、当該カットオフＮＡＣＫのメッセージ番号は図７の１番目のＮＡＣＫのメッセージ番号に等しい。そのため、図5に示すように、当該実施例に対応するメッセージ再送方法のステップは順次に、Ｓ５０１→Ｓ５０２→Ｓ５０４→Ｓ５０５→Ｓ５０６→Ｓ５１０→Ｓ５１１である。当該メッセージ再送方法は、受信ウィンドウの停滞状態の解除を速くし、停滞状態を図３に示すような移動状態に回復させる。
【００５０】
図８は、本発明の実施例によってメッセージ再送装置を示す構造図である。当該メッセージ再送装置は、無線リンク制御層に用いられ、
閾値比較モジュール８０１、再送待ちメッセージに応じて、第１のステータスレポートを構成し、第１のステータスレポートにおける使用可能な帯域幅にカットオフされたカットオフＮＡＣＫのメッセージ番号を読み取り、受信側の受信ウィンドウのエッジ番号とカットオフＮＡＣＫのメッセージ番号との差分値を計算し、当該差分値と所定閾値を比較し、第１のステータスレポートにおけるカットオフ位置の前の部分を第２のステータスレポートとすると、
ステータスレポート構成モジュール８０２、比較結果と第２のステータスレポートに応じて、第３のステータスレポートを構成すると、
ステータスレポート送信モジュール８０３、第３のステータスレポートを送信すると、
再送モジュール８０４、受信した第３のステータスレポートに応じて、メッセージを再送すると、を備える。
【００５１】
上記実施例において、まず、閾値比較モジュール８０１を採用して、受信側の受信ウィンドウのエッジ番号とカットオフＮＡＣＫのメッセージ番号との差分値を計算し、当該差分値と所定閾値を比較し、次に、ステータスレポート構成モジュール８０２を採用して、当該比較結果に応じて、第２のステータスレポートを調整して第３のステータスレポートを取得し、その後、ステータスレポート送信モジュール８０３を採用して、第３のステータスレポートを送信し、最後に、再送モジュール８０４を採用して、受信した第３のステータスレポートに応じて、メッセージを再送する。比較結果には、メッセージ伝送ウィンドウの状態情報が含まれるので、本実施例におけるメッセージ再送装置は、異なるデータ伝送ウィンドウの状態に応じて、異なる構成方法を採用して、第３のステータスレポートを取得することができ、各種のデータ伝送ウィンドウ状態で、無線インタフェースデータを全て直ちに伝送できることが実現され、無線インタフェースデータの伝送速度と効率を向上させ、関連技術におけるメッセージ再送方法で、どんなデータ伝送ウィンドウ状態にあっても、使用可能な帯域幅にカットオフされたＮＡＣＫを捨てて送信しないため、ウィンドウが完全にパディングされて停滞状態になる場合に、無線インタフェースデータの伝送遅延及び伝送速度低下が引き起こされるという問題を有効的に避けられる。
【００５２】
図９は、本発明の好ましい実施例によってメッセージ再送装置を示す構造図である。ここで、ステータスレポート構成モジュール８０２は具体的に、比較結果、及びカットオフ位置、カットオフＮＡＣＫ、第１のステータスレポートの位置関係に応じて、再送待ちメッセージのステータスを判断する判断ユニット８０２１と、再送待ちメッセージの状態に応じて第２のステータスレポートを調整して第３のステータスレポートを取得する調整ユニット８０２２と、を含む。
【００５３】
当該比較結果にはデータ伝送ウィンドウの状態情報が含まれるので、本実施例は、判断ユニットを採用して、当該データ伝送ウィンドウの状態情報に応じて、カットオフ位置、カットオフＮＡＣＫ、第１のステータスレポートの位置関係とともに、再送待ちメッセージの状態を判断し、さらに、調整ユニットを採用して、再送待ちメッセージの状態に応じて、第２のステータスレポートを調整して第３のステータスレポートを取得する。
【００５４】
ここで、再送待ちメッセージの状態は、具体的に、
１）Ｘ∈[０，ＸＴ）の場合に、受信ウィンドウの移動状態が良好であると判断することと、
２）Ｘ∈[ＸＴ，Ｗｉｎｄｏｗ＿Ｓｉｚｅ]の場合に、受信ウィンドウがまもなく完全にパディングされて、停滞しようとすると判断し、この際、再送待ちメッセージのステータスをさらに判断する必要があり、
２．１）カットオフＮＡＣＫのメッセージ番号が第２のステータスレポートにおける前の１つのＮＡＣＫのメッセージ番号に等しいことと、
２．２）カットオフＮＡＣＫのメッセージ番号が第２のステータスレポートにおける前の１つのＮＡＣＫのメッセージ番号に等しくなく、カットオフ位置がカットオフＮＡＣＫのＳＯドメイン内にあり、又は、カットオフ位置がカットオフＮＡＣＫのＳＯドメイン外にあることと、
２．３）カットオフＮＡＣＫが第２のステータスレポートにおける１番目のＮＡＣＫであり、カットオフ位置がカットオフＮＡＣＫのＳＯドメイン内にあり、又は、カットオフ位置がカットオフＮＡＣＫのＳＯドメイン外にあることとを含む。
【００５５】
上記のような複数の異なる再送待ちメッセージの状態に応じて、異なる構成方法を採用して、第３のステータスレポートを取得することができる。従って、本実施例は、下記のような多くの状況において、即ち、受信ウィンドウが移動状態にあるか停滞状態にあるかにしても、カットオフＮＡＣＫのメッセージ番号が第２のステータスレポートにおける前の１つのＮＡＣＫのメッセージ番号に等しいかどうかにしても、カットオフＮＡＣＫが第２のステータスレポートにおける１番目のＮＡＣＫであるかどうかにしても、カットオフ位置がカットオフＮＡＣＫのＳＯドメイン内にあるかどうかにしても、無線インタフェースデータを直ちに伝送することが実現され、無線インタフェースデータの伝送速度と効率を向上させた。
【００５６】
図９に示すように、当該メッセージ再送装置は、送信側からのメッセージを受信するメッセージ受信モジュール８０５と、メッセージを伝達するメッセージ伝達モジュール８０６と、メッセージに応じて第１のステータスレポートをトリガーするステータスレポートトリガーモジュール８０７とを更に含む。
【００５７】
本実施例において、送信側がＰＤＵメッセージを送信して、受信側のメッセージ受信モジュール８０５が当該メッセージを受信した後に、一方で、受信したＰＤＵメッセージを上位層に伝達するように、メッセージ伝達モジュール８０６に出力し、もう一方で、第１のステータスレポートをトリガーするように、ステータスレポートトリガーモジュール８０７に出力し、閾値比較モジュール８０１が、トリガー信号を受信した後に、閾値比較を始め、且つ第３のステータスレポートを構成するように、比較結果をステータスレポート構成モジュール８０２に出力し、次に、ステータスレポート送信モジュール８０３によって、送信側に第３のステータスレポートを送信し、送信側の再送モジュール８０４が、受信した第３のステータスレポートに応じて、ＰＤＵメッセージを再送する。
【００５８】
つまり、本発明の上記実施例は、各種のデータ伝送ウィンドウ状態で、無線インタフェースデータを全て直ちに伝送できることが実現され、無線インタフェースデータの伝送速度と効率を向上させた。
【００５９】
明らかに、本分野の当業者が了解すべきなのは、上記本発明の各モジュール又は各ステップが汎用の計算装置で実現できて、それらが単一の計算装置に集中してもいい、或いは複数の計算する装置で組み立てるネットワークに配布されてもいい、選択的に、それらが、計算装置で実行可能のプログラムコードで実現できて、だから、それらを記憶装置に記憶され計算装置で実行してもいい、或いは、それらをそれぞれ各集積回路モジュールを作成してもいい、それらの中に複数のモジュール又はステップを単一の集積回路モジュールを作成して実現してもいい。そうしたら、本発明がいかなる特定されたハードウェアとソフトウェアの組み合わせに制限されない。
【００６０】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
0005252331.tif 000002
【図２】
0005252331.tif 000003
【図３】
0005252331.tif 000004
【図４】
0005252331.tif 000005
【図５】
0005252331.tif 000006
【図６】
0005252331.tif 000007
【図７】
0005252331.tif 000008
【図８】
0005252331.tif 000009
【図９】
0005252331.tif 000010